(57)【要約】      （修正有）【課題】風や波の影響を受けにくくて実用的に使用することができる水上作業プラットフォームを提供する。【解決手段】水上作業装置を保持することができる水上作業プラットフォームであって、互いに間を空けて配置されていると共に、所定の収容空間５１０を囲む中空状に形成される上に少なくとも収容空間５１０を外部と連通させる進水口５１５と排水口５１６がそれぞれ開けられ、且つ、前記水上作業装置を保持できるように構成されている複数の浮力ブロック４と、各浮力ブロック４の間に配置されていると共に、各浮力ブロック４とそれぞれ接続されている接続ブロック２と、接続ブロック２の下端部に接続され、前記接続ブロック２を水面下に引き下げると共に、該水上作業プラットフォーム全体の重心を水面下に配置することができる重り手段３と、を具えていることを特徴とする水上作業プラットフォームを提供する。【選択図】図２
2016068944.tif 000002
【特許請求の範囲】
【請求項１】
水上作業装置を保持することができる水上作業プラットフォームであって、
互いに間を空けて配置されていると共に、それぞれが所定の収容空間を囲む中空状に形成される上に少なくとも前記収容空間を外部と連通させる進水口と排水口がそれぞれ開けられ、且つ、前記水上作業装置を保持できるように構成されている複数の浮力ブロックと、
各前記浮力ブロックの間に配置されていると共に、各前記浮力ブロックとそれぞれ接続されている接続ブロックと、
前記接続ブロックの下端部に接続され、前記接続ブロックを水面下に引き下げると共に、該水上作業プラットフォーム全体の重心を水面下に配置することができる重り手段と、
を具えていることを特徴とする水上作業プラットフォーム。
【請求項２】
各前記浮力ブロックには、それぞれ、
水面上に浮かぶことができる浮力手段と、
前記収容空間と連通している連通管部、及び前記浮力手段から更に上方へ延伸するように該浮力手段に取付けられていると共に、両端がそれぞれ前記連通管部と外部とに連通している固定管部を有する通気管と、が取付けられていることを特徴とする請求項１に記載の水上作業プラットフォーム。
【請求項３】
前記通気管は、前記連通管部と前記固定管部との間に介在し、且つ螺旋状に延伸するように形成されている螺旋管部を更に有していることを特徴とする請求項２に記載の水上作業プラットフォーム。
【請求項４】
前記接続ブロックには、各前記浮力ブロックにそれぞれ対応し、対応する前記浮力ブロックに接続するまで外側かつ上方よりに延伸している接続アームが形成されていることを特徴とする請求項１から請求項３のいずれか一項に記載の水上作業プラットフォーム。
【請求項５】
各前記浮力ブロックには、該浮力ブロックに開けられている前記進水口の開閉を制御する進水制御装置が配置されていることを特徴とする請求項１から請求項４のいずれか一項に記載の水上作業プラットフォーム。
【請求項６】
各前記浮力ブロックには、該浮力ブロックに開けられている前記排水口からの排水を制御する排水ポンプが配置されていることを特徴とする請求項１から請求項５のいずれか一項に記載の水上作業プラットフォーム。
【請求項７】
前記重り手段は、水面下に沈んで水底地盤に届くことができるように構成されたアンカー部と、該アンカー部と前記接続ブロックとを接続することができるように、索状に形成された接続部と、を具えていることを特徴とする請求項１から請求項６のいずれか一項に記載の水上作業プラットフォーム。
【請求項８】
前記浮力ブロックは、互いに間を空けて配置されている上壁部及び下壁部と、前記上壁部と前記下壁部との間に介在して前記上壁部と前記下壁部とを接続して共に前記収容空間を囲む周壁部と、を有するように構成されている上、前記進水口と前記排水口とは、前記周壁部に形成されていることを特徴とする請求項１から請求項７のいずれか一項に記載の水上作業プラットフォーム。
【請求項９】
前記浮力ブロックには、前記上壁部に取付けられて該上壁部から上方へ延伸して水上作業装置を水面上に保持することができる保持柱を更に備えていることを特徴とする請求項８に記載の水上作業プラットフォーム。
【発明の詳細な説明】
【技術分野】
【０００１】
本発明は、川や湖、海洋などに設置される水上作業プラットフォームに関し、特に水上作業装置を保持して水面上で作業させる水上作業プラットフォームに関する。
【背景技術】
【０００２】
水上作業装置を保持して川や湖、海洋などの水面上で作業させる水上作業プラットフォームとしては、例えば特許文献１に記載されているものがある。図１に示されているように、該従来の水上作業プラットフォームは、水上に浮設される水上構造体１１と、水上構造体１１を支持すると共に水底地盤Ｇに定着される支持構造体１２と、を備えるように構成されるものである。
【先行技術文献】
【特許文献】
【０００３】
【特許文献１】特開２００２−３５６１９６号公報
【発明の概要】
【発明が解決しようとする課題】
【０００４】
上記従来の水上作業プラットフォームは、水底地盤が、例えば海洋においては大陸棚といった比較的浅い場所にしか設置されることができず、水深が深い場所では使用することができない。一方、水底地盤に固定されず、ただ水面上に浮かぶ水上作業プラットフォームは、風や波の影響を受けて揺れの幅が大きく、実用的に使用することができない。
【０００５】
従って、本発明は低コストで水底地盤に固定されることができ、風や波の影響を受けにくくて実用的に使用することができる水上作業プラットフォームを提供することを目的とする。
【課題を解決するための手段】
【０００６】
上記目的を達成すべく、本発明は、水上作業装置を保持することができる水上作業プラットフォームであって、互いに間を空けて配置されていると共に、それぞれが所定の収容空間を囲む中空状に形成される上に少なくとも前記収容空間を外部と連通させる進水口と排水口がそれぞれ開けられ、且つ、前記水上作業装置を保持できるように構成されている複数の浮力ブロックと、各前記浮力ブロックの間に配置されていると共に、各前記浮力ブロックとそれぞれ接続されている接続ブロックと、前記接続ブロックの下端部に接続され、前記接続ブロックを水面下に引きずると共に、該水上作業プラットフォーム全体の重心を水面下に配置することができる重り手段と、を具えていることを特徴とする水上作業プラットフォームを提供する。
【発明の効果】
【０００７】
上記構成によれば、本発明の水上作業プラットフォームは、各浮力ブロックと繋がっている接続ブロック及び重り手段を用いて該水上作業プラットフォーム全体の重心を各前記浮力ブロックの間で且つ水面下に配置することにより、該水上作業プラットフォーム全体の重心を安定化して接続ブロック及び各浮力ブロックの傾きを防止することができるので、水上作業装置を安定的に水面上に保持して作業させることができる。
【図面の簡単な説明】
【０００８】
【図１】従来の水上作業プラットフォームの一例が示されている側面図である。
【図２】本発明の水上作業プラットフォームの第１の実施形態の構成が示されている斜視図である。
【図３】本発明の水上作業プラットフォームの第１の実施形態の使用状態が示されている側面図である。
【図４】本発明の水上作業プラットフォームの第１の実施形態の変形例の構成及び使用状態が示されている上面図である。
【図５】本発明の水上作業プラットフォームの第２の実施形態の構成が示されている斜視図である。
【発明を実施するための形態】
【０００９】
以下では各図面を参照しながら本発明の水上作業プラットフォームの各好ましい実施形態について詳しく説明する。
【００１０】
図２〜図３に本発明の水上作業プラットフォームの第１の実施形態の構成が示されており、図２はその全体構成が示されている斜視図であり、図３はその使用状態が示されている側面図である。
【００１１】
図２〜図３に示されているように、本発明は例えば石油掘削装置や洋上風力発電タービンなどの水上作業装置を保持することができる水上作業プラットフォームであって、接続ブロック２と、それぞれ接続ブロック２と接続し、該接続ブロック２の周囲において互いに間を空けて配置され、且つ、前記水上作業装置を保持できるように構成されている複数の浮力ブロック４と、接続ブロック２の下側に取付けられている重り手段３と、を具えており、水上作業装置を、浮力ブロック４から上方へ延伸する保持柱４３で保持することができるように構成されている。
【００１２】
接続ブロック２は、複数の浮力ブロック４の間に配置されており、接続ブロック２及び各浮力ブロック４が傾かない十分な重量を有するよう、内部に金属やコンクリート、セラミック、土・砂・石、または他の爆発性、毒性及び感染性を有しない廃棄物などが充填されている。
【００１３】
本実施形態において、接続ブロック２には、各浮力ブロック４にそれぞれ対応し、対応する浮力ブロック４に接続するまで外側かつ上方よりに、即ち外側に向かって斜め上に延伸している接続アーム６が形成されている。
【００１４】
ちなみに、この実施形態では、図示されているように浮力ブロック４を３つ有しているが、本発明はこれに限らず、例えば４、５、６など、必要に応じて浮力ブロック４の数量を設定することができる。
【００１５】
重り手段３は、接続ブロック２の下端部に接続され、本発明の水上作業プラットフォーム全体の浮力に対抗して接続ブロックを水面下に引き下げると共に、該水上作業プラットフォーム全体の重心を水面下に配置するためのものであり、水面下に沈んで水底地盤に届くことができる程の重量を有するように構成されたアンカー部３１と、該アンカー部３１と接続ブロック２とを接続する接続部３２と、を具えており、アンカー部３１は図２に示されているように水底地盤に刺さって固定される錨として構成されることができるが、これに限らず、水底地盤に届くことができる程の重量を有するものであれば、例えば金属やコンクリート、セラミック、土・砂・石、または他の爆発性、毒性及び感染性を有しない廃棄物などが積載された容器を本発明のアンカー部３１として構成することも可能である。接続部３２としては、例えば図２に示されているようにアンカー部３１と接続ブロック２とを接続する錨鎖を用いることができるが、これに限らず、例えば鋼製ワイヤロープや、中空のパイプ、または縄などを用いることも可能である。また、錨としてのアンカー部３１を水底地盤から上げると、本発明の水上作業プラットフォームの設置位置を移動させることも可能である。
【００１６】
各浮力ブロック４は、それぞれ互いに間を空けて配置されている上壁部５１１及び下壁部５１２と、上壁部５１１と下壁部５１２との間に介在して上壁部５１１と下壁部５１２とを接続して共に収容空間５１０を囲む周壁部５１３と、を有するように構成されている上、中空球状に形成されて水面上に浮かぶことができる浮力手段７１と、収容空間５１０と連通している連通管部７２１、及び浮力手段７１から更に上方へ延伸するように該浮力手段７１に取付けられていると共に、両端がそれぞれ連通管部７２１と外部とに連通する固定管部７２２を有する通気管７２と、が取付けられている。また、周壁部５１３には進水口５１５と排水口５１６とがそれぞれ開けられている。
【００１７】
この実施形態において、浮力手段７１は接続棒７３により上壁部５１１に保持されており、そして通気管７２の固定管部７２２は浮力手段７１を貫通してから浮力手段７１の上方に露出して外部に連通する空気進出口７２４が形成されている。更に、連通管部７２１と固定管部７２２との間に、螺旋状に延伸するように形成されている螺旋管部７２３が介在している。この構成により、浮力手段７１は通気管７２の固定管部７２２を常に水面上に保持することと、通気管７２に螺旋管部７２３が備えられていることと、により、固定管部７２２の空気進出口７２４は常に水面上に露出し、そして浮力ブロック４が水面近辺において浮いたり沈んだりしても螺旋管部７２３が伸縮の余裕を提供するので、空気が該空気進出口７２４を経由して収容空間５１０内に進入できる状態が保たれている。
【００１８】
また、この実施形態において、浮力ブロック４は流線型の断面を有しており、この構成により水流による抗力を減らすことができる。更に、図４に示されているように、接続ブロック２から延伸する接続アーム６の先端部と浮力ブロック４との間に鉛直方向と略一致する枢支軸６１を設けて浮力ブロック４を接続アーム６に対して該枢支軸６１を回転軸として回動可能にすることにより、水流の方向に応じて能動的に抗力を減らすことができる。
【００１９】
また、各浮力ブロック４には、該浮力ブロック４に形成された進水口５１５の開閉を制御するバルブを具えた進水制御装置４１と、排水口５１６からの排水を制御する排水ポンプ４２と、が配置されている。
【００２０】
このように、通気管７２と進水口５１５と排水口５１６と進水制御装置４１と排水ポンプ４２とを具えた本発明の水上作業プラットフォームの浮力ブロック４は、排水口５１６を閉じた状態で進水制御装置４１によって進水口５１５を開けると、水が収容空間５１０に入ると共に空気が通気管７２に開けられている空気進出口７２４を経由して逃げることにより、該浮力ブロック４が提供する浮力を下げることができる。また、進水口５１５を閉じた状態で排水口５１６を開いて排水ポンプ４２を起動すると、水が収容空間５１０から排出されると共に空気が通気管７２に開けられている空気進出口７２４を経由して取り込まれることにより、該浮力ブロック４が提供する浮力を上げることができる。よって、該浮力ブロック４の保持柱４３が保持している水上作業装置の重量や、当時の海況に対応して浮力ブロック４が提供する浮力を適切に調整することが可能である。
【００２１】
次いで、図５は本発明の水上作業プラットフォームの第２の実施形態の構成が示されている斜視図であり、図示されているように、水上作業プラットフォームの第２の実施形態は第１の実施形態と類似する構成になっているが、この第２の実施形態は第１の実施形態と比べて重り手段３の構成が異なっている。
【００２２】
即ち、本発明の水上作業プラットフォームの第２の実施形態において、重り手段３は水面下に沈んで水底地盤に届くことができるように構成されたアンカー部３１と、該アンカー部３１と接続ブロック２とを接続することができるように索状に形成された接続部３２と、を具えているが、この第２の実施形態におけるアンカー部３１はコンクリート、セラミック、土・砂・石、または他の爆発性、毒性及び感染性を有しない廃棄物などの積載物３１２が積載された収容箱３１１を有する上、収容箱３１１に一対の接続突起３１４が形成されており、そして接続部３２は、接続ブロック２の下側に取付けられているユニバーサルジョイント３２３と、一端がワイヤローブ（図示せず）によりユニバーサルジョイント３２３に取付けられていると共に、他端がアンカー部３１の収容箱３１１へ延伸する鎖３２１と、鎖３２１の前記他端に取付けられていると共に、両端が収容箱３１１に形成された一対の接続突起３１４にそれぞれ取付けられているワイヤロープ３２２と、を具えている。
【００２３】
また、この第２の実施形態において、浮力ブロック４の数は４である。
【００２４】
即ち、この第１、第２の実施形態に示されているように、本発明の構成はこれらの実施形態に限定されるものではなく、その要旨を逸脱しない範囲で種々の変更を加えることが可能である。
【産業上の利用可能性】
【００２５】
上記構成により、本発明の水上作業プラットフォームは、各浮力ブロック４と繋がっている接続ブロック２で接続ブロック２及び各浮力ブロック４を含む全体の重心を安定化して接続ブロック２及び各浮力ブロック４の傾きを防止することができる上、各浮力ブロック４は通気管７２と進水口５１５と排水口５１６と進水制御装置４１と排水ポンプ４２とを用いて、浮力ブロック４の保持柱が保持している水上作業装置の重量や海況に対応して収容空間５１０内の水量及び該浮力ブロック４が提供する浮力を調整することができるので、水上作業装置を安定的に水面上に保持して作業させることができる。
【００２６】
更に、水底地盤に届くことができる重り手段３を備えることにより、本発明の水上作業プラットフォームを海流などにより流されないように定位置に配置することが可能となる。
【００２７】
従って、本発明は風や波、海流などの影響を受けにくくて実用的に使用することができる水上作業プラットフォームを提供することができる。
【符号の説明】
【００２８】
２            接続ブロック
３            重り手段
３１          アンカー部
３１１        収容箱
３１２        積載物
３１４        接続突起
３２          接続部
３２１        鎖
３２２        ワイヤロープ
３２３        ユニバーサルジョイント
４            浮力ブロック
４１          進水制御装置
４２          排水ポンプ
４３          保持柱
５１０        収容空間
５１１        上壁部
５１２        下壁部
５１３        周壁部
５１５        進水口
５１６        排水口
６            接続アーム
６１          枢支軸
７１          浮力手段
７２          通気管
７２１        連通管部
７２２        固定管部
７２３        螺旋管部
７２４        空気進出口
７３          接続棒
【図１】
2016068944.tif 000003
【図２】
2016068944.tif 000004
【図３】
2016068944.tif 000005
【図４】
2016068944.tif 000006
【図５】
2016068944.tif 000007